【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
一対の入力信号の電位差を増幅して出力する差動入力回路と、
高電位側電源と出力端子との間に、ＰチャネルＭＯＳトランジスタを第一の出力トランジスタとして接続し、前記出力端子と低電位側電源との間にＮチャネルＭＯＳトランジスタを第二の出力トランジスタとして接続し、前記差動入力回路の出力信号に基づいて、前記第一の出力トランジスタを動作させて前記出力端子からソース電流を吐出するプルアップ動作と、前記第二の出力トランジスタを動作させて前記出力端子からシンク電流を吸入するプルダウン動作とを行う出力回路と
を備えた差動増幅回路であって、
前記差動入力回路の出力信号に基づいて前記プルアップ動作を行うとき、前記第一の出力トランジスタをオンさせるゲート電位を低電位側電源レベルとし、前記プルダウン動作を行うとき、前記第二の出力トランジスタをオンさせるゲート電位を高電位側電源レベルとするゲート電位制御回路を備え、
前記ゲート電位制御回路は、前記プルアップ動作を行うとき、前記第一の出力トランジスタのゲート電位を低電位側電源からＭＯＳトランジスタのドレイン・ソース間電圧分上昇したレベルとし、前記プルダウン動作を行うとき、前記第二の出力トランジスタのゲート電位を高電位側電源からＭＯＳトランジスタのドレイン・ソース間電圧分低下したレベルとすることを特徴とする差動増幅回路の出力回路。
【請求項２】
一対の入力信号の電位差を増幅して出力する差動入力回路と、
高電位側電源と出力端子との間に、ＰチャネルＭＯＳトランジスタを第一の出力トランジスタとして接続し、前記出力端子と低電位側電源との間にＮチャネルＭＯＳトランジスタを第二の出力トランジスタとして接続し、前記差動入力回路の出力信号に基づいて、前記第一の出力トランジスタを動作させて前記出力端子からソース電流を吐出するプルアップ動作と、前記第二の出力トランジスタを動作させて前記出力端子からシンク電流を吸入するプルダウン動作とを行う出力回路と
を備えた差動増幅回路であって、
前記差動入力回路の出力信号に基づいて前記プルアップ動作を行うとき、前記第一の出力トランジスタをオンさせるゲート電位を低電位側電源レベルとし、前記プルダウン動作を行うとき、前記第二の出力トランジスタをオンさせるゲート電位を高電位側電源レベルとするゲート電位制御回路を備え、
前記ゲート電位制御回路は、前記プルアップ動作を行うとき、前記第二の出力トランジスタのゲート電位を低電位側電源からＭＯＳトランジスタのドレイン・ソース間電圧分上昇したレベルとし、前記プルダウン動作を行うとき、前記第一の出力トランジスタのゲート電位を高電位側電源からＭＯＳトランジスタのドレイン・ソース間電圧分低下したレベルとすることを特徴とする請求項１乃至２のいずれかに記載の差動増幅回路の出力回路。
【請求項３】
前記第一の出力トランジスタのゲートには、前記差動入力回路の第一の出力信号に基づいて動作する第一の電流制御回路の出力電流と、前記差動入力回路の第二の出力信号に基づいて動作するＭＯＳトランジスタのドレイン電流との比に基づいて生成される電圧を入力し、
前記第二の出力トランジスタのゲートには、前記第一の出力トランジスタとカレントミラー動作するトランジスタのドレイン電流に基づいて動作する第二の電流制御回路の出力電流と、前記第一の電流制御回路の出力電流との比に基づいて生成される電圧を入力したことを特徴とする請求項１又は２のいずれかに記載の差動増幅回路の出力回路。
【請求項４】
前記第一及び第二の電流制御回路は、カレントミラー回路で構成して、前記第一の出力トランジスタのアイドリング電流を前記差動入力回路のバイアス電流に基づいて設定可能としたことを特徴とする請求項３記載の差動増幅回路の出力回路。
【請求項５】
前記差動入力回路の動作電流は、ダイオード接続したＭＯＳトランジスタで生成したことを特徴とする請求項１乃至４のいずれかに記載の差動増幅回路の出力回路。
【請求項６】
前記差動入力回路の動作電流は、一対の入力トランジスタの出力電流に基づいてそれぞれ動作する一対のカレントミラー回路で生成したことを特徴とする請求項１乃至４のいずれかに記載の差動増幅回路の出力回路。
【請求項７】
前記第二の電流制御回路の入力電流と、前記第一の電流制御回路の出力電流との電流差を補正する電流補正回路を、前記第二の電流制御回路に接続したことを特徴とする請求項１乃至４のいずれかに記載の差動増幅回路の出力回路。
【請求項８】
前記電流補正回路は、前記第二の電流制御回路の入力電流と、前記第一の電流制御回路の出力電流との電流差に基づいて、第二の電流制御回路を構成するカレントミラー回路に不足するドレイン電流を供給することを特徴とする請求項７記載の差動増幅回路の出力回路。
【請求項９】
前記電流補正回路は、前記第二の電流制御回路の入力電流と、前記第一の電流制御回路の出力電流との電流差に基づいて、第二の電流制御回路を構成するカレントミラー回路に過剰となるドレイン電流を吸入することを特徴とする請求項７記載の差動増幅回路の出力回路。
【手続補正２】
【補正対象書類名】明細書
【補正対象項目名】００３５
【補正方法】変更
【補正の内容】
【００３５】
そして、前記ゲート電位制御回路は、前記プルアップ動作を行うとき、前記第一の出力トランジスタのゲート電位を低電位側電源からＭＯＳトランジスタのドレイン・ソース間電圧分上昇したレベルとし、前記プルダウン動作を行うとき、前記第二の出力トランジスタのゲート電位を高電位側電源からＭＯＳトランジスタのドレイン・ソース間電圧分低下したレベルとする。
【手続補正３】
【補正対象書類名】明細書
【補正対象項目名】００３６
【補正方法】変更
【補正の内容】
【００３６】
請求項２では、前記ゲート電位制御回路は、前記プルアップ動作を行うとき、前記第二の出力トランジスタのゲート電位を低電位側電源からＭＯＳトランジスタのドレイン・ソース間電圧分上昇したレベルとし、前記プルダウン動作を行うとき、前記第一の出力トランジスタのゲート電位を高電位側電源からＭＯＳトランジスタのドレイン・ソース間電圧分低下したレベルとする。
【手続補正４】
【補正対象書類名】明細書
【補正対象項目名】００３７
【補正方法】変更
【補正の内容】
【００３７】
請求項３では、前記第一の出力トランジスタのゲートには、前記差動入力回路の第一の出力信号に基づいて動作する第一の電流制御回路の出力電流と、前記差動入力回路の第二の出力信号に基づいて動作するＭＯＳトランジスタのドレイン電流との比に基づいて生成される電圧を入力し、前記第二の出力トランジスタのゲートには、前記第一の出力トランジスタとカレントミラー動作するトランジスタのドレイン電流に基づいて動作する第二の電流制御回路の出力電流と、前記第一の電流制御回路の出力電流との比に基づいて生成される電圧を入力した。
【手続補正５】
【補正対象書類名】明細書
【補正対象項目名】００３８
【補正方法】変更
【補正の内容】
【００３８】
請求項４では、前記第一及び第二の電流制御回路は、カレントミラー回路で構成して、前記第一の出力トランジスタのアイドリング電流を前記差動入力回路のバイアス電流に基づいて設定可能とした。
【手続補正６】
【補正対象書類名】明細書
【補正対象項目名】００３９
【補正方法】変更
【補正の内容】
【００３９】
請求項５では、前記差動入力回路の動作電流は、ダイオード接続したＭＯＳトランジスタで生成した。
請求項６では、前記差動入力回路の動作電流は、一対の入力トランジスタの出力電流に基づいてそれぞれ動作する一対のカレントミラー回路で生成した。
【手続補正７】
【補正対象書類名】明細書
【補正対象項目名】００４０
【補正方法】変更
【補正の内容】
【００４０】
請求項７では、前記第二の電流制御回路の入力電流と、前記第一の電流制御回路の出力電流との電流差を補正する電流補正回路を、前記第二の電流制御回路に接続した。
【手続補正８】
【補正対象書類名】明細書
【補正対象項目名】００４１
【補正方法】変更
【補正の内容】
【００４１】
請求項８では、前記電流補正回路は、前記第二の電流制御回路の入力電流と、前記第一の電流制御回路の出力電流との電流差に基づいて、第二の電流制御回路を構成するカレントミラー回路に不足するドレイン電流を供給する。
【手続補正９】
【補正対象書類名】明細書
【補正対象項目名】００４２
【補正方法】変更
【補正の内容】
【００４２】
請求項９では、前記電流補正回路は、前記第二の電流制御回路の入力電流と、前記第一の電流制御回路の出力電流との電流差に基づいて、第二の電流制御回路を構成するカレントミラー回路に過剰となるドレイン電流を吸入する。
【手続補正１０】
【補正対象書類名】明細書
【補正対象項目名】００４３
【補正方法】変更
【補正の内容】
【００４３】
（作用）
請求項１では、プルアップ動作時には第一の出力トランジスタＴr29 の電流駆動能力が最大限に発揮され、プルダウン動作時には第二の出力トランジスタＴr30 の電流駆動能力が最大限に発揮される。
【手続補正１１】
【補正対象書類名】明細書
【補正対象項目名】００４４
【補正方法】変更
【補正の内容】
【００４４】
請求項２では、プルアップ動作時には第二の出力トランジスタがオフされて、第一の出力トランジスタのドレイン電流がソース電流として吐出され、プルダウン動作時には第一の出力トランジスタがオフされて、第二の出力トランジスタのドレイン電流がシンク電流として吸入される。
【手続補正１２】
【補正対象書類名】明細書
【補正対象項目名】００４５
【補正方法】変更
【補正の内容】
【００４５】
請求項３では、第一及び第二の電流制御回路の動作により、第一及び第二の出力トランジスタのゲート電位が高電位側電源レベルと、低電位側電源レベルとの間でほぼフル振幅動作する。
【手続補正１３】
【補正対象書類名】明細書
【補正対象項目名】００４６
【補正方法】変更
【補正の内容】
【００４６】
請求項４では、第一及び第二の電流制御回路を構成するカレントミラー回路により、第一の出力トランジスタのアイドリング電流が差動入力回路のバイアス電流で設定される。
【手続補正１４】
【補正対象書類名】明細書
【補正対象項目名】００４７
【補正方法】変更
【補正の内容】
【００４７】
請求項５では、ダイオード接続したＭＯＳトランジスタで前記差動入力回路の動作電流が生成される。
請求項６では、前記差動入力回路の動作電流の精度が向上する。
【手続補正１５】
【補正対象書類名】明細書
【補正対象項目名】００４８
【補正方法】変更
【補正の内容】
【００４８】
請求項７では、第二の電流制御回路を構成するカレントミラー回路が正常に動作して、プルアップ動作時に第二の出力トランジスタが確実にオフされる。
請求項８では、第二の電流制御回路を構成するカレントミラー回路に、不足するドレイン電流が電流補正回路から供給されて、プルアップ動作時に第二の出力トランジスタが確実にオフされる。
【手続補正１６】
【補正対象書類名】明細書
【補正対象項目名】００４９
【補正方法】変更
【補正の内容】
【００４９】
請求項９では、第二の電流制御回路を構成するカレントミラー回路に、過剰となるドレイン電流が電流補正回路に吸入されて、プルアップ動作時に第二の出力トランジスタが確実にオフされる。